(57)【要約】      （修正有）【課題】風にあおられた場合であっても、風雨、風雪の影響を受けた場合であっても、アーム部材が破損されるおそれがない伸縮テント屋根を提供する。【解決手段】伸縮テント屋根のテント部材の先端縁には、１対のアーム機構に支持される軒桟が連結され、後端縁には、巻き取り機構が連結されている。伸長アーム機構は、先端部が軒桟に連結される第一アームと、先端部が第一アームの後端部と連結される第二アームを有し、第二アームの両端部に、駆動索条が巻き掛けられる。巻き取り機構と駆動索条の一方に駆動源、他方に付勢源を有する。駆動源の駆動力に対応して、付勢源からの付勢力の伝達を許容又は阻止する付勢力伝達制御機構を有する。【選択図】図１
0003161354.tif 000002
【実用新案登録請求の範囲】
【請求項１】
建築物に取り付けられ、かつ同じ平面内で互いに逆向きに動作する１対の伸縮アーム機構により支持される軒桟にテント部材の先端縁が連結され、テント部材の後端縁が巻き取り機構に連結されてなる伸縮テント屋根であって、
伸縮アーム機構は、軒桟に先端部が回動可能に連結された第１アームと、建築物の固定部位に後端部が回動可能に連結された第２アームを有し、第１アームの後端部と第２アームの先端部とが回動可能に連結され、第１アームの長さと第２アームの長さとが互いに等しく設定されてあり、
伸縮アーム機構を伸長させるように第２アームの両端部に巻き掛けられた駆動索条を有してあり、
巻き取り機構、駆動索条の一方に能動的に駆動力を与える駆動源を有してあり、
巻き取り機構、駆動索条の他方に付勢力を与える付勢源を有してあり、
駆動源が能動的に駆動力を与えていることに応答して、付勢源からの付勢力の伝達を許容し、駆動源が能動的に駆動力を与えていないことに応答して、付勢源からの付勢力の伝達を阻止する付勢力伝達制御機構を有してある
ことを特徴とする伸縮テント屋根。
【請求項２】
駆動源は、駆動索条を介して伸縮アーム機構に伸長方向の力を能動的に作用させるものであり、
付勢源は、駆動索条を介して巻き取り機構に巻き取り方向の力を常に作用させるものである
ことを特徴とする請求項１に記載の伸縮テント屋根。
【請求項３】
駆動源は、駆動索条を介して巻き取り機構に巻き取り方向の力を能動的に作用させるものであり、
付勢源は、駆動索条を介して伸縮アーム機構に伸長方向の力を常に作用させるものである
ことを特徴とする請求項１に記載の伸縮テント屋根。
【考案の詳細な説明】
【技術分野】
【０００１】
本考案は、店舗の軒先等に設けられて、日差しを遮ったり、雨を防いだりするために、伸縮可能に構成してなる伸縮テント屋根に関する。
【背景技術】
【０００２】
従来から、テント部材の基端部を巻き取り機構に連結し、先端部を軒桟に連結し、しかも、軒桟を建築物に対して接離可能に支持するために、折り畳み可能な「く」字状の１対のアーム部材を設けてなる構成を採用したものが提案されている（特許文献１参照）。
このような構成の伸縮テント屋根を設けておけば、日差しが強い場合のように、必要な場合にのみテント屋根を伸長させて、日差しを遮ったりすることができ、陳列商品の保護を達成し、来店客の便宜を図ることができる。
【０００３】
特許文献１に記載されたような伸縮テント屋根を採用し、かつ伸長させた場合には、風の影響を受けなければ、本来の機能を達成することができる。
しかし、風の影響を受けない状態であることは極めて稀であり、通常は、強弱の程度のばらつきはあっても、風の影響を受ける状態であることが殆どである。
そして、風の影響を受けた場合には、伸縮テント屋根の全体で風を受けることになるので、伸縮テント屋根全体としては、かなり大きな力を受けることになり、テント部材が風の力を受けて、本来の引き出し状態よりも大きく引き出されてしまうことになってしまう。
また、テント部材が全体として均等に引き出されてしまうことは稀であり、通常は、一方のアーム部材の側のテント部材が他方のアーム部材の側のテント部材よりも大きく引き出されてしまい、アーム部材に大きな力が加えられてしまう。
この場合に、アーム部材のうち、軒桟に連結された部分には、上向きの力のみ、又は下向きの力のみが加えられるのに対し、建築物に連結された部分には、上向きの力、又は下向きの力だけでなく、ねじれ方向の力も加えられることになってしまう。
この結果、アーム部材（特に、アーム部材のうち、建築物に連結された部分）が簡単に破損されてしまうという不都合が生じてしまう。
この不都合は、伸縮テント屋根を斜め上向きに延びるように取り付けた場合に、風を受け易くなることに起因して、特に顕著になってしまう。
【０００４】
このことを考慮して、伸縮テント屋根を斜め下向きに伸びるように取り付けることが考えられるが、風雨、風雪の影響を受けた場合には、テント部材に下向きの比較的大きな力、又は上向きの比較的大きな力が加えられることになり、テント部材が風雨、風雪の力を受けて、本来の引き出し状態よりも大きく引き出されてしまうことになってしまう。
また、テント部材が全体として均等に引き出されてしまうことは稀であり、通常は、一方のアーム部材の側のテント部材が他方のアーム部材の側のテント部材よりも大きく引き出されてしまい、アーム部材に大きな力が加えられてしまう。
この場合において、アーム部材のうち、軒桟に連結された部分には、下向きの力のみ、又は上向きの力のみが加えられるのに対し、建築物に連結された部分には、下向きの力、又は上向きの力だけでなく、ねじれ方向の力も加えられることになってしまう。
この結果、アーム部材（特に、アーム部材のうち、建築物に連結された部分）が簡単に破損されてしまうという不都合が生じてしまう。
そして、上記の不都合は、特に強風であるとはいえないような風が吹く場合でも生じるのであるから、無風に近い状態の場合でなければ、伸縮テント屋根を使用することができないことになってしまう。換言すれば、従来の伸縮テント屋根は、無風に近い状態である場合において、単に日差しを遮るものとして使用できるだけであった。
【先行技術文献】
【特許文献】
【０００５】
【特許文献１】特開２００５−１８８０８１号公報
【考案の概要】
【考案が解決しようとする課題】
【０００６】
本考案が解決しようとする課題は、以下の通りである。
○本考案が解決しようとする第１課題
本考案が解決しようとする第１課題は、風にあおられた場合であっても、風雨、風雪の影響を受けた場合であっても、アーム部材が簡単には破損されるおそれがない伸縮テント屋根を提供することである。
【課題を解決するための手段】
【０００７】
課題を解決するための手段は、[実用新案登録請求の範囲]の各請求項に記載された考案である。
実用新案登録請求の範囲、明細書、図面等の解釈上の疑義を解消すべく、以下、用語の説明を行うこととする。
＜用語の説明＞
○テント部材とは、防水処理が施されたテント生地で構成され、簡易型の屋根として使用されるものをいう。防水処理のみならず、防炎処理も施されたものであることが好ましい。
○巻き取り機構とは、テント部材を巻き取るために用いられる部材をいい、テント部材の伸縮（テント部材のうち、巻き取り機構から繰り出された部分の伸縮）を可能にするものである。ドラム状のものであることが好ましい。そして、巻き取りのための力は、人力によって与えられてもよいが、スプリング、モーター等により与えられてもよい。
○軒桟とは、テント部材の先端縁に設けられた長尺の部材であり、この軒桟によって、テント部材の先端縁を緊張状態にすることができる。
○伸縮アーム機構とは、軒桟を建築物に対して接近離間可能に連結するためのものであり、伸縮アーム機構によって、伸縮の程度に拘らず、テント部材を緊張状態で支持することができる。
○駆動源とは、必要に応じて所望の駆動力を能動的に与えるものであり、モーター等が例示できる。もちろん、手動操作によって駆動力を能動的に与えるものであってもよい。
○付勢源とは、常に所定の方向に付勢力を作用させ続けるものであり、スプリング等が例示できる。
○索条とは、動力を伝達するために巻き掛けられる紐状の部材であり、チェイン、ワイヤー等が例示できる。
○ローラーとは、索条が巻き掛けられるものであり、索条が巻き掛けられることによって回転駆動されるもの、索条を単にガイドするもの等を含んでいる。具体的には、スプロケット、チェーンホイール、ガイドホイール等が例示できる。
○付勢力伝達制御機構とは、駆動源が能動的に駆動力を与えていることに応答して、付勢源による付勢力の伝達を許容し、駆動源が能動的に駆動力を与えていないことに応答して、付勢源による付勢力の伝達を阻止し、付勢力が伝達される部材の自由動作を阻止するものである。具体的には、ブレーキ機構、クラッチ機構、減速比を著しく大きく設定した減速機構、例えば、ウォームギヤ機構、等が例示できる。
【０００８】
本考案者が、本考案が解決しようとする課題の重要性に気付く契機となったのは、従来技術の欠点を生じる最大の原因が、テント部材を伸縮させる伸縮アーム機構にねじれ方向の力が作用することを排除する必要があることに気付いていなかったことである。
本考案者は、風がある場合、風雨、風雪の影響を受ける場合にも、伸縮アーム機構が破損されるおそれなく、伸縮テント屋根をしようすることができるものはないかと種々検討・模索を重ねて、本考案を完成した。
課題を解決するための手段は、本願の実用新案登録請求の範囲に記載された各請求項に記載された考案であり、その具体的な解決手段は、以下の通りである。
○第１の考案（請求項１に記載の考案）
上記の課題を解決するための第１の考案（請求項１に記載の考案）は、
建築物に取り付けられ、かつ同じ平面内で互いに逆向きに動作する１対の伸縮アーム機構により支持される軒桟にテント部材の先端縁が連結され、テント部材の後端縁が巻き取り機構に連結されてなる伸縮テント屋根であって、
伸縮アーム機構は、軒桟に先端部が回動可能に連結された第１アームと、建築物の固定部位に後端部が回動可能に連結された第２アームを有し、第１アームの後端部と第２アームの先端部とが回動可能に連結され、第１アームの長さと第２アームの長さとが互いに等しく設定されてあり、
伸縮アーム機構を伸長させるように第２アームの両端部に巻き掛けられた駆動索条を有してあり、
巻き取り機構、駆動索条の一方に能動的に駆動力を与える駆動源を有してあり、
巻き取り機構、駆動索条の他方に付勢力を与える付勢源を有してあり、
駆動源が能動的に駆動力を与えていることに応答して、付勢源からの付勢力の伝達を許容し、駆動源が能動的に駆動力を与えていないことに応答して、付勢源からの付勢力の伝達を阻止する付勢力伝達制御機構を有してある
ことを特徴とする伸縮テント屋根である。
○第２の考案（請求項２に記載の考案）
上記の課題を解決するための第２の考案（請求項２に記載の考案）は、
駆動源は、駆動索条を介して伸縮アーム機構に伸長方向の力を能動的に作用させるものであり、
付勢源は、駆動索条を介して巻き取り機構に巻き取り方向の力を常に作用させるものである
ことを特徴とする請求項１に記載の伸縮テント屋根である。
○第３の考案（請求項３に記載の考案）
上記の課題を解決するための第３の考案（請求項３に記載の考案）は、
駆動源は、駆動索条を介して巻き取り機構に巻き取り方向の力を能動的に作用させるものであり、
付勢源は、駆動索条を介して伸縮アーム機構に伸長方向の力を常に作用させるものである
ことを特徴とする請求項１に記載の伸縮テント屋根である。
【考案の効果】
【０００９】
本考案に係る伸縮テント屋根は、上記のような特徴的な構成要件から構成され、特徴的構成要件に応じた、以下のような本考案特有の効果を奏する。
また、上記のような特徴的な構成要件から構成された伸縮テント屋根によれば、本願考案の課題を解決することができた。
○第１の考案の効果
第１の考案の伸縮テント屋根によれば、
建築物に取り付けられ、かつ同じ平面内で互いに逆向きに動作する１対の伸縮アーム機構により支持される軒桟にテント部材の先端縁が連結され、テント部材の後端縁が巻き取り機構に連結されてなる伸縮テント屋根であって、
伸縮アーム機構は、軒桟に先端部が回動可能に連結された第１アームと、建築物の固定部位に後端部が回動可能に連結された第２アームを有し、第１アームの後端部と第２アームの先端部とが回動可能に連結され、第１アームの長さと第２アームの長さとが互いに等しく設定されてあり、
伸縮アーム機構を伸長させるように第２アームの両端部に巻き掛けられた駆動索条を有してあり、
巻き取り機構、駆動索条の一方に能動的に駆動力を与える駆動源を有してあり、
巻き取り機構、駆動索条の他方に付勢力を与える付勢源を有してあり、
駆動源が能動的に駆動力を与えていることに応答して、付勢源からの付勢力の伝達を許容し、駆動源が能動的に駆動力を与えていないことに応答して、付勢源からの付勢力の伝達を阻止する付勢力伝達制御機構を有してある
という特徴的な構成要件によって、
風にあおられた場合であっても、風雨、風雪の影響を受けた場合であっても、テント部材が必要以上に引き出されてしまうことを未然に防止することができ、この結果、第２アームにねじれ方向の力が加えられてしまうことがなくなり、アーム部材、特に第２アームが簡単には破損されるおそれがなく、ひいては、伸長状態で使用可能な天候条件の制約を大幅に緩和することができた。
すなわち、本考案が解決しようとする第１課題を達成することができ、当業者予測不可能な顕著な効果を奏することができた。
○第２の考案の効果
第２の考案の伸縮テント屋根によれば、
駆動源は、駆動索条を介して伸縮アーム機構に伸長方向の力を能動的に作用させるものであり、
付勢源は、駆動索条を介して巻き取り機構に巻き取り方向の力を常に作用させるものである
という特徴的な構成要件によって、
風にあおられた場合であっても、風雨、風雪の影響を受けた場合であっても、テント部材が必要以上に引き出されてしまうことを未然に防止することができ、この結果、第２アームにねじれ方向の力が加えられてしまうことがなくなり、アーム部材、特に第２アームが簡単には破損されるおそれがなく、ひいては、伸長状態で使用可能な天候条件の制約を大幅に緩和することができた。
すなわち、本考案が解決しようとする第１課題を達成することができ、当業者予測不可能な顕著な効果を奏することができた。
○第３の考案の効果
第３の考案の伸縮テント屋根によれば、
駆動源は、駆動索条を介して巻き取り機構に巻き取り方向の力を能動的に作用させるものであり、
付勢源は、駆動索条を介して伸縮アーム機構に伸長方向の力を常に作用させるものである
という特徴的な構成要件によって、
風にあおられた場合であっても、風雨、風雪の影響を受けた場合であっても、テント部材が必要以上に引き出されてしまうことを未然に防止することができ、この結果、第２アームにねじれ方向の力が加えられてしまうことがなくなり、アーム部材、特に第２アームが簡単には破損されるおそれがなく、ひいては、伸長状態で使用可能な天候条件の制約を大幅に緩和することができた。
すなわち、本考案が解決しようとする第１課題を達成することができ、当業者予測不可能な顕著な効果を奏することができた。
【図面の簡単な説明】
【００１０】
【図１】本考案の伸縮テント屋根の一実施形態を示す概略平面図である。
【図２】本考案の伸縮テント屋根の一実施形態を示す概略側面図である。
【図３】巻き取り機構の構成を示す概略図であり、（Ａ）が概略平面図を、（Ｂ）が概略背面図を、それぞれ示している。
【考案を実施するための形態】
【００１１】
以下、添付図面を参照して、本考案の伸縮テント屋根の実施の形態を詳細に説明する。
第１の考案の伸縮テント屋根は、
建築物に取り付けられ、かつ同じ平面内で互いに逆向きに動作する１対の伸縮アーム機構により支持される軒桟にテント部材の先端縁が連結され、テント部材の後端縁が巻き取り機構に連結されてなる伸縮テント屋根であって、
伸縮アーム機構は、軒桟に先端部が回動可能に連結された第１アームと、建築物の固定部位に後端部が回動可能に連結された第２アームを有し、第１アームの後端部と第２アームの先端部とが回動可能に連結され、第１アームの長さと第２アームの長さとが互いに等しく設定されてあり、
伸縮アーム機構を伸長させるように第２アームの両端部に巻き掛けられた駆動索条を有してあり、
巻き取り機構、駆動索条の一方に能動的に駆動力を与える駆動源を有してあり、
巻き取り機構、駆動索条の他方に付勢力を与える付勢源を有してあり、
駆動源が能動的に駆動力を与えていることに応答して、付勢源からの付勢力の伝達を許容し、駆動源が能動的に駆動力を与えていないことに応答して、付勢源からの付勢力の伝達を阻止する付勢力伝達制御機構を有してある
ことを特徴としている。
第２の考案の伸縮テント屋根は、
駆動源は、駆動索条を介して伸縮アーム機構に伸長方向の力を能動的に作用させるものであり、
付勢源は、駆動索条を介して巻き取り機構に巻き取り方向の力を常に作用させるものである
ことを特徴としている。
第３の考案の伸縮テント屋根は、
駆動源は、駆動索条を介して巻き取り機構に巻き取り方向の力を能動的に作用させるものであり、
付勢源は、駆動索条を介して伸縮アーム機構に伸長方向の力を常に作用させるものである
ことを特徴としている。
【００１２】
[図１]は、本考案の伸縮テント屋根の一実施形態を示す概略平面図である。
[図２]は、本考案の伸縮テント屋根の一実施形態を示す概略側面図である。
[図３]は、巻き取り機構の構成を示す概略図であり、（Ａ）が概略平面図を、（Ｂ）が概略背面図を、それぞれ示している。
本考案の伸縮テント屋根は、建築物の所定位置（例えば、建築物の出入り口の上方の壁部）に設けられた巻き取り機構Ｍと、建築物に取り付けられ、かつ同じ平面内で互いに逆向きに動作する１対の伸縮アーム機構Ａと、１対の伸縮アーム機構Ａの先端部により支持された軒桟Ｎと、先端縁が軒桟Ｎに連結され、かつ巻き取り機構Ｍにより巻き取られるテント部材Ｔとを有している。
建築物の柱部材Ｐにより水平な状態で支持される桁部材Ｋに取り付けられていることが好ましいが、桁部材Ｋの上方において、これ以外の部材に取り付けられていてもよい。また、巻き取り機構Ｍは、建築物の柱部材Ｐにより水平な状態で支持される桁部材Ｋの上方において壁部材に取り付けられた軸受け部材（従来公知であるから、図１から図３には図示せず）によって支持されていることが好ましいが、これ以外の位置、部材に取り付けられた軸受け部材によって支持されていてもよい。
巻き取り機構Ｍは、図３中（Ａ）（Ｂ）に示すように、テント部材Ｔの基端縁と連結された状態で回転することにより、テント部材Ｔを巻き取ることができる巻き取り軸Ｍｊと、巻き取り軸Ｍｊを回転自在に支持するとともに、巻き取り軸Ｍｊの回転を阻止することができる軸制御機構（付勢力伝達制御機構）Ｍｊｃと、巻き取り軸Ｍｊに対して巻き取り方向の回転力を与える１つの巻き取り用スプリング（付勢源）Ｍｓと、巻き取り用スプリングＭｓの力を巻き取り軸Ｍｊに伝達するための駆動チェインＭｃと、駆動チェインＭｃにより伝達される巻き取り用スプリングＭｓの引っ張り力を巻き取り方向の回転力に変換する巻き取りスプロケットＭｍと、駆動チェインＭｃをガイドするガイドスプロケットＭｇとを有している。巻き取り用スプリングＭｓはコイルスプリングであることが好ましい。
また、ガイドスプロケットＭｇは、各巻き取りスプロケットＭｍに対応して１対づつ設けられており、各対のガイドスプロケットＭｇは、同じ軸に回転自在に設けられている。そして、各対のガイドスプロケットＭｇの一方どうしが互いに正対し、各対のガイドスプロケットＭｇの他方どうしが互いに正対している。駆動チェインＭｃは、一方の巻き取りスプロケットＭｍから、これに対応する対（一方の対）のガイドスプロケットＭｇの一方、他の対のガイドスプロケットＭｇの他方、他方の巻き取りスプロケットＭｍ、他の対のガイドスプロケットＭｇの一方、一方の対のガイドスプロケットＭｇの他方に順次巻き掛けられ、再び一方の巻き取りスプロケットＭｍに戻るようにエンドレスに構成されている。このように駆動チェインＭｃを巻き掛けることによって、巻き取り用スプリングＭｓの力による力を、両巻き取りスプロケットＭｍに対して、巻き取り方向の力として作用させることができる。
さらに、巻き取りスプロケットＭｍのうち、駆動チェインＭｃが巻き掛けられる部分の外径と、巻き取り軸Ｍｊの外径とは、それぞれ任意の外径に設定することが可能である。したがって、例えば、巻き取り軸Ｍｊの外径を、巻き取りスプロケットＭｍのうち、駆動チェインＭｃが巻き掛けられる部分の外径よりも充分に大きく設定することによって、巻き取り用スプリングＭｓの長さを、テント部材Ｔの伸縮長さよりも充分に短く設定することができる。
また、駆動チェインＭｃの巻き取りスプロケットＭｍに対する巻き掛けは、駆動チェインＭｃを１回だけ巻き掛けることにより達成していてもよいが、２回以上の任意の回数だけ巻き掛けることにより達成していてもよい。
伸縮アーム機構Ａは、互いに同じ長さの第１アームＡ１及び第２アームＡ２を中間ヒンジによって回動可能に連結してなるものであり、第１アームＡ１の先端部を軒桟Ｎの所定位置に軒先ヒンジによって回動可能に連結し、第２アームＡ２の基端部を建築物の壁部材の所定位置に基ヒンジによって回動可能に連結してなる。そして、両伸縮アーム機構Ａの中間ヒンジが互いに接近するように両伸縮アーム機構Ａを折り畳むことによって、テント部材Ｔを収縮させるようにしている。
伸縮アーム機構Ａを伸長させる伸縮アーム機構伸長機構Ｄは、伸縮アーム機構駆動ワイヤーＤｗと、伸縮アーム機構駆動ハンドルＤｈを有している。
伸縮アーム機構駆動ハンドルＤｈは、両伸縮アーム機構駆動ワイヤーＤｗを巻き取るものである。この伸縮アーム機構駆動ハンドルＤｈに対しては、モーター等の駆動源が接続されている。ただし、手動操作によって回転力が伝達されるものであってもよい。
伸縮アーム機構駆動ワイヤーＤｗは、基端部が伸縮アーム機構駆動ハンドルＤｈに連結され、基ヒンジ部分の外側、中間ヒンジ部分の内側にこの順に巻き掛けられ、先端部が第１アームＡ１の中央寄り所定位置に連結されている。
軸制御機構Ｍｊｃは、伸縮アーム機構駆動ハンドルＤｈが能動的に回転されていることに応答して、巻き取り軸Ｍｊの回転を許容し、伸縮アーム機構駆動ハンドルＤｈが能動的には回転されていないことに応答して、巻き取り軸Ｍｊの回転を阻止するものである。具体的には、スイッチ機構などにより制御されるブレーキ機構、クラッチ機構、減速比を著しく大きく設定した減速機構、例えば、ウォームギヤ機構等、が例示できる。
上記の構成の伸縮テント屋根の作用は次のとおりである。
（１）伸縮テント屋根が完全に収縮された状態
この状態においては、伸縮アーム機構駆動ハンドルＤｈが能動的には回転されていないのであるから、軸制御機構Ｍｊｃによって、巻き取り軸Ｍｊの回転が阻止されている。
（２）伸縮テント屋根が伸長される場合
伸縮アーム機構駆動ハンドルＤｈを能動的に回転させることによって、両伸縮アーム機構駆動ワイヤーＤｗを巻き取る。
この動作に追従して、軸制御機構Ｍｊによって、巻き取り軸Ｍｊの回転が許容される。
伸縮アーム機構駆動ワイヤーＤｗが巻き取られると、基ヒンジ、中間ヒンジにこの順に巻き掛けられていることに起因して、第１アームＡ１及び第２アームＡ２を１直線に近づけるように伸縮アーム機構Ａを動作させることができる。すなわち、伸縮アーム機構Ａを伸長させることができる。
したがって、伸縮アーム機構駆動ハンドルＤｈの回転量に応じて伸縮アーム機構Ａを伸長させることができ、ひいては、テント部材Ｔを伸長させることができる。
（３）伸縮テント屋根が伸長された状態
伸縮テント屋根の伸長が完了すれば、伸縮アーム機構駆動ハンドルＤｈは能動的には回転されないのであるから、軸制御機構Ｍｊｃによって、巻き取り軸Ｍｊの回転が阻止されている。
したがって、テント部材Ｔが緊張状態で伸長された状態である。
この状態で伸縮テント屋根が風を受けた場合には、伸縮テント屋根の全体で風を受けるのであるが、軸制御機構Ｍｊｃが巻き取り軸Ｍｊの回転を阻止するように制御されているので、テント部材Ｔが風によってさらに引き出されてしまうという不都合を未然に防止することができる。もちろん、テント部材Ｔが、一方の側において他方の側よりも大きく引き出されてしまい、ねじれた状態になってしまうという不都合も未然に防止することができる。
この結果、第１アームＡ１、第２アームＡ２に対して上向きの力のみ、又は下向きの力のみが作用することになり、ねじれ方向の力が作用することを未然に防止することができる。
伸縮テント屋根が風雨、風雪の影響を受けた場合にも、伸縮テント屋根の全体で風雨、風雪を受けるのであるが、軸制御機構Ｍｊｃが巻き取り軸Ｍｊの回転を阻止するように制御されているので、テント部材が風によってさらに引き出されてしまうという不都合を未然に防止することができる。もちろん、テント部材Ｔが、一方の側において他方の側よりも大きく引き出されてしまい、ねじれた状態になってしまうという不都合も未然に防止することができる。
この結果、第１アームＡ１、第２アームＡ２に対して下向きの力のみ、又は上向きの力のみが作用することになり、ねじれ方向の力が作用することを未然に防止することができる。
したがって、伸縮テント屋根全体としての強度を向上させることができ、伸長状態で使用可能な天候条件の制約を大幅に緩和することができる。
また、伸縮テント屋根が風雨を受けた場合であって、図２に示すように、テント部材Ｔが斜め上向きに伸長された場合には、テント部材Ｔの基部側（巻き取り軸Ｍｊに近い側）に雨水が溜まってしまう。しかし、この不都合は、テント部材Ｔのうち、雨水が溜まることになる部分に穴を開けて、雨水を排水することによって、解消することができる。もちろん、この場合には、雨水を伝わらせるための部材を設けておくことが好ましく、雨水が直接地面に落下することに起因する飛散を未然に防止することができる。
（４）伸縮テント屋根を収縮させる場合
伸縮アーム機構駆動ハンドルＤｈを、伸縮テント屋根を伸長させる場合と逆向きに回転させることによって、両伸縮アーム機構駆動ワイヤーＤｗを繰り出す。
この動作に追従して、軸制御機構Ｍｊｃによって、巻き取り軸Ｍｊの回転が許容される。
伸縮アーム機構駆動ワイヤーＤｗが繰り出されると、伸縮アーム機構Ａを伸長させる力が緩和される。同時に、巻き取り用スプリングＭｓによる付勢力が作用し続けている巻き取り機構Ｍによって、テント部材Ｔが、上記の緩和された程度に合わせて巻き取られる。そして、このテント部材Ｔの巻き取りに追従して、伸縮アーム機構Ａが収縮され、軒桟Ｎを建築物に接近させる。
以上の説明からわかるように、伸縮テント屋根を伸縮させるために伸縮アーム機構駆動ハンドルＤｈを能動的に回転させている場合にのみ、軸制御機構Ｍｊｃが巻き取り軸Ｍｊを回転可能に支持するのであるから、テント部材Ｔの引き出し、巻き取りをスムーズに行わせることができる。
以上を要約すれば、伸縮アーム機構駆動ハンドルＤｈが能動的には回転されていない場合には、軸制御機構Ｍｊｃが巻き取り軸Ｍｊの回転を阻止するのであるから、風、風雨、風雪の影響を受けても、テント部材Ｔが必要以上に（風、風雨、風雪の影響を受ける前の引き出し状態以上に）引き出されてしまうという不都合の発生を未然に防止することができる。
この結果、伸縮アーム機構Ａの各アームにねじれ方向の力が作用することを未然に防止することができ、アームが簡単に破損されるという不都合の発生を未然に防止することができる。すなわち、伸縮テント屋根の強度を向上させることができる。したがって、伸長状態で使用可能な天候条件の制約を大幅に緩和することができる。
以上の実施形態においては、伸縮アーム機構駆動ハンドルＤｈがモーター等の駆動源によって駆動され、巻き取り軸Ｍｊに対して巻き取り用スプリングＭｓによる付勢力が作用され、軸制御機構Ｍｊｃによって、巻き取り軸Ｍｊの回転を許容する状態、巻き取り軸Ｍｊの回転を阻止する状態を選択する構成を採用している。
しかし、巻き取り軸Ｍｊがモーター等の駆動源によって直接的に、又は間接的に駆動され、伸縮アーム機構駆動ハンドルＤｈに対してスプリング等の付勢源による付勢力が作用され、軸制御機構によって、伸縮アーム機構駆動ハンドルＤｈの回転を許容する状態、伸縮アーム機構駆動ハンドルＤｈの回転を阻止する状態を選択する構成を採用することが可能であり、この場合にも、伸縮アーム機構Ａの各アームにねじれ方向の力が作用することを未然に防止することができ、アームが簡単に破損されるという不都合の発生を未然に防止することができる。すなわち、伸縮テント屋根の強度を向上させることができる。
【符号の説明】
【００１３】
Ａ      伸縮アーム機構
Ａ１    第１アーム
Ａ２    第２アーム
Ｄ      伸縮アーム機構伸長機構
Ｄｈ    伸縮アーム機構駆動ハンドル
Ｄｗ    伸縮アーム機構駆動ワイヤー
Ｋ      桁
Ｍ      巻き取り機構
Ｍｃ    駆動チェイン
Ｍｇ    ガイドスプロケット
Ｍｊ    巻き取り軸
Ｍｊｃ  軸制御機構
Ｍｍ    巻き取りスプロケット
Ｍｓ    巻き取り用スプリング
Ｎ      軒桟
Ｔ      テント部材
【図１】
0003161354.tif 000003
【図２】
0003161354.tif 000004
【図３】
0003161354.tif 000005